(57)【要約】  【課題】  通し穴を開けないで、任意の書類を手軽に多穴型ファイルに綴じ込み、取り離すことができる中間綴じ込み素子を提供する。  【解決手段】  中間綴じ込み素子は長方形のシート１を備え、その第１の長辺に沿って、多穴型ファイルの穴に対応する複数の穴２ａ、２ｂを有する。また、該シートの第２の長辺に沿って渦巻き形クリップ３ａ、３ｂが設けられている。渦巻き形クリップは、平面渦巻き折れ線を形成する弾性線材で成るクリップ部５ａ、５ｂを有し、その最内の巻き線区間には固定板４ａ、４ｂが固着されている。固定板と最内の巻き線区間とはシートの第２面に装着され、固定板はシートに接着され、最内の巻き線区間に続く巻き線区間はシートの第２面から第１面に延び、外側の巻き線はシートの第1面に配置される。書類は、外側巻き線とシートとの間に挿入され、外側巻き線によってシートに弾性的に保持される。  【選択図】  図１
2007152933.tif 000002
【特許請求の範囲】
【請求項１】
多穴型ファイルの穴径と穴間隔に該当する複数の穴を第１の長辺に沿って備えている長方形のシートと、該長方形のシートの、第２の長辺の縁部に、書類の綴じ込み端部を保持する保持手段を備えている、通し穴のない書類を多穴型ファイルへ綴じ込むための中間綴じ込み素子において、
前記保持手段は、弾性線材が一平面内に渦巻きを形成しながら丸みを持たせて少なくとも6回折り曲げられて成る渦巻き折れ線の形状を有するクリップ部と、前記シートの第２の長辺の縁部の第２の面に固定される固定部を備えていて前記クリップ部の一端に連結される固定手段とを有する渦巻き形クリップを含み、
前記クリップ部の渦巻き折れ線形の巻き線は、該クリップ部をシートに搭載するために働く搭載用巻き線区間と、書類を綴じ込むために働く綴じ込み用巻き線区間と、搭載用巻き線区間から綴じ込み用巻き線区間へ移行する移行巻き線区間とを有し、
搭載用巻き線区間は、クリップ部の渦巻き折れ線の、連続する３つの線分に該当する３つの線分巻き線を含み、その第１の線分巻き線（ＳＭ１）は、一端が固定手段に連結されていて、シートの前記第２の面に当接しながら前記第２の長辺の縁部に向かって延び、第２の線分巻き線（ＳＭ２）は、第１の線分巻き線から連続してシートの第２の長辺の縁部を迂回してシートの第２の面側から第１の面側に延び、第３の線分巻き線（ＳＭ３）は、第２の線分巻き線（ＳＭ２）から連続してシートの第１の面に弾性的に当接して延びるように設置され、その結果、搭載用巻き線区間は、シートの第２の長辺の縁部を抱く態様で弾性的にシートに搭載され、
綴じ込み用巻き線区間は、移行巻き線区間を経由して搭載用巻き線区間に連結する第１の線分巻き線（ＳＦ１）と、該第１の線分巻き線（ＳＦ１）と共に渦巻き折れ線を形成しながら順次に連続して延びる第２の線分巻き線（ＳＦ２）と第３の線分巻き線（ＳＦ３）を含み、シートの第１の面に弾性的に当接するように設置され、シートの第１の面との間に挿入された書類をシートに対して弾性的に押圧して保持する、
ことを特徴とする、通し穴のない書類を多穴型ファイルへ綴じ込むための中間綴じ込み素子。
【請求項２】
書類を綴じ込んだときにその書類を押さえるために当該書類に当接する綴じ込み用巻き線区間の部分に取り付けられた押さえ手段を有する請求項１に記載の中間綴じ込み素子。
【請求項３】
上記渦巻き折れ線を構成する線分をクリップ部の内側から外側への渦巻き折れ線の巻き方向に見て、順次に第１、第２、第３、第４、第５、第６および第７の線分とし、それぞれの線分に該当する弾性線材の部分を、第１、第２、第３、第４、第５、第６および第７の線分巻き線（Ｓ１、Ｓ２、Ｓ３、Ｓ４、Ｓ５、Ｓ６、Ｓ７）とするとき、
第１，第２、第３の線分巻き線（Ｓ１、Ｓ２、Ｓ３）は、それぞれ、搭載用巻き線区間の第１の線分巻き線（ＳＭ１）、第２の線分巻き線（ＳＭ２）、第３の線分巻き線（ＳＭ３）に割り当てられ、第５、第６および第７の線分巻き線（Ｓ５、Ｓ６、Ｓ７）は、それぞれ、綴じ込み用巻き線区間の第１、第２、第３の線分巻き線（ＳＦ１、ＳＦ２、ＳＦ３）に割り当てられ、第４の線分巻き線（Ｓ４）は、移行巻き線区間の線分巻き線（ＳＴ）に割り当てられ、前記固定手段は第１の線分巻き線（Ｓ１）に連結されている、請求項１、または２に記載の中間綴じ込み素子。
【請求項４】
上記渦巻き折れ線を構成する線分をクリップ部の内側から外側への渦巻き折れ線の巻き方向に見て、順次に第１、第２、第３、第４、第５、第６および第７の線分とし、それぞれの線分に該当する弾性線材の部分を、第１、第２、第３、第４、第５、第６および第７の線分巻き線（Ｓ１、Ｓ２、Ｓ３、Ｓ４、Ｓ５、Ｓ６、Ｓ７）とするとき、
第５，第６、第７の線分巻き線（Ｓ５、Ｓ６、Ｓ７）は、それぞれ、搭載用巻き線区間の第３の線分巻き線（ＳＭ３）、第２の線分巻き線（ＳＭ２）、第１の線分巻き線（ＳＭ１）に割り当てられ、第１、第２および第３の線分巻き線（Ｓ１、Ｓ２、Ｓ３）は、それぞれ、綴じ込み用巻き線区間の第３、第２、第１の線分巻き線（ＳＦ３、ＳＦ２、ＳＦ１）に割り当てられ、第４の線分巻き線（Ｓ４）は、移行巻き線区間の線分巻き線（ＳＴ）に割り当てられ、前記固定手段は第７の線分巻き線（Ｓ７）に連結されている、請求項１、または２に記載の中間綴じ込み素子。
【請求項５】
渦巻き形クリップの固定手段は、第７の線分巻き線（Ｓ７）から渦巻き折れ線を形成しながら延長される延長巻き線区間と、該延長巻き線区間の端部に、当該渦巻き折れ線の平面に平行に取り付けられた固定板を有し、固定板と延長巻き線区間がシートの第２の面に接するように配置され、固定板はシートの第２の面に固定される、請求項４に記載の中間綴じ込み素子。
【発明の詳細な説明】
【技術分野】
【０００１】
本発明は、複数の紙または冊子を綴じ込むファイルに関し、特に、２穴リングファイルや２穴スライドファイルのような多穴ファイルに書類を綴じ込むための中間綴じ込み素子に関する。
【背景技術】
【０００２】
複数の紙または冊子（以下、書類と記す）を綴じ込むファイルには、無穴型ファイルと多穴型ファイルがある。無穴型ファイルは、書類を２枚の金属板またはプラスチック板で作られたｚ型クランプ（挟み締め具）によって弾性的に挟み込むように構成されたファイルで、通常、ｚ型ファイルという名称で市販されている。多穴型ファイルには、市販されている典型的なファイルとして、多穴リングファイルと２穴スライドファイルがある。
【０００３】
多穴リングファイルは複数のリングを備え、リングはファイル本体の背に対して直角に取り付けられ、各リングはその面内で２つのセグメント（円弧部分）に開くことができるように構成されている。綴じ込み対象の書類には、予め通し穴が開けられている。書類を綴じ込むときには、リングを開いて、リングの円弧部分を書類の通し穴に通してリングを閉じる。
【０００４】
２穴スライドファイルは、２つの、金属またはプラスチックのバンドを備えていて、綴じ込み対象の書類に予め開けられている通し穴のなかにそのバンドを通し、バンドの先端部分をスライド型締め具で締め付けて留めるように構成されている。
最も多く市販されている多穴型ファイルは２穴型ファイルで、２穴リングファイルや２穴スライドファイルとして市販されている。
【０００５】
上記の書類綴り込み用のファイルのうち、無穴型ファイルは、書類に穴を開ける必要がないので、書類を損傷しないで綴じ込むことができるという長所がある半面、どれか１つの書類を取り出すときや書類の差し替え時には総ての書類が締め具から外される。その結果、書類が散逸したり、綴じ込み順序が変更されたりし易いという欠点がある。
【０００６】
一方、多穴型ファイルのうち、多穴リングファイルは、綴じ込んだ書類のどれかを取り出すとき、他の書類をリングに保持したまま、当該の書類のみを取り出すことができるという利点がある。したがって、書類の取り出しや差し替えが簡単である。
【０００７】
また、２穴スライドファイルは、綴じ込んだ書類のどれかを取り出すとき、当該書類より以前に綴じ込まれた書類をそのままバンドに通したまま、当該書類を取り出すことができる。したがって、２穴スライドファイルは、書類の取り出しの際に、無穴型ファイルに比較して書類が散逸したり、綴じ込み順序が変更されたりする可能性は少ないが、書類の取り出しの際に当該書類以後に綴じ込んだ書類を綴じ込みから取り外さなければならないという不便さは残る。
このように、多穴型ファイルは、無穴型ファイルに比較して、書類が散逸したり、綴じ込み順序が変わったりする可能性は少ないという長所はあるけれど、綴じ込み対象の書類に通し穴を開けなければならないので、書類に通し穴をあける余白がない場合や、書類そのものが損傷してはならない場合には、使用することができないという欠点がある。
【０００８】
多穴型ファイルのもつ上記の問題点を解決するための発明が特許文献１に記載されている。特許文献１の発明は、ファイリング用の穴をもつ粘着面付きシートで、書類に穴を開けないで綴じ込むための中間綴じ込み素子を開示している。
【０００９】
図１３は、特許文献１に記載されている通し穴をもつ粘着面付きシートの斜視図である。長方形のシート６４の長手方向縁部には、ファイル用の通し穴６３ａ、６３ｂが開けられている。この場合には、通し穴は２個開けられている。シート６４の、他方の長手方向縁部には、粘着剤が塗布された所定幅の粘着面６２が形成されている。シート６４は、その通し穴６３ａ、６３ｂにリングまたはベルトを通してファイルに綴じ込まれ、シート６４の粘着面６２に書類６１を粘着することによって、書類６１はシート６４を介して（シートを中間綴じ込み素子として）綴じ込まれる。書類が不要になれば、書類を粘着面６２から剥離して廃棄することができる。したがって、粘着剤を適当に選べば、この粘着面付きシートは、書類を剥離した後も再使用することができる。
【特許文献１】特開閉１０−６６８１号公報
【発明の開示】
【発明が解決しようとする課題】
【００１０】
われわれの日常生活において、大切な書類を、散逸しないように多穴型ファイルに綴じ込もうとしても、その書類に穴を開ける余白がなく、また、証明書のように、穴を開けないで保存することが望ましい書類もある。このようなときには、市販されている多穴型ファイルをそのまま使用することはできない。
また、書類が、封筒に入って配達され、または手渡されたとき、その書類を封筒に入れたまま保存したい場合がある。このようなとき、封筒に穴をあけて多穴型ファイルに綴じ込むと、その封筒に書類が入らなくなる場合がある。たとえば、Ａ４版の書類がＡ４版用の封筒に入れられているとき、その封筒に穴をあけてファイルに綴じ込むと書類が入らなくなる。
そのような場合には、特許文献１の粘着面付きシートは有用である。
【００１１】
しかし、このような粘着面付きシートは、粘着面の管理に手がかかるという短所がある。たとえば、この粘着面付きシートは、使用しないときには、他の物体に接触しないように粘着面に剥離紙を貼り付けておかなければならない。そして、使用時には、その剥離紙を剥離した後に使用しなければならない。また、貼り付けた書類を剥離した後には、再使用のときまで、粘着面を剥離紙で被覆しておく必要がある。
【００１２】
このような面倒を避けるために、粘着面付きシートは、多くの場合、使い捨てにされ、そのために、一度使用したシートはファイルから取り外す必要がある。このように、書類を綴じ込むときには、粘着面付きシートの剥離紙を剥がして書類を貼り付け、また、一旦、綴じ込まれた書類をファイルから取り外すときには、書類をシートから剥離する操作と、粘着面付きシートをファイルから取り外すという操作が必要である。しかし、このような操作は、機械的操作に馴れない人には面倒なことである。
本発明の目的は、必要に応じて任意の書類を手軽に、通し穴を開けないで多穴型ファイルに自由に綴じ込み、取り離すことができる中間綴じ込み素子を提供することにある。
【課題を解決するための手段】
【００１３】
ここで、本明細書に使用される幾つかの用語を説明する。
まず、「線分」という用語について説明する。数学的には、「線分」は「両端をもつ直線」と定義されるが、本書においては、「両端をもち、接線方向の平均が所定方向を向く曲線」と定義する。「接線方向の平均」とは、対象とする曲線上の多数の点における接線方向を表す単位ベクトルの平均ベクトル（ベクトル和を点の数で除算した結果、得られるベクトル）の方向である。したがって、数学的な定義である「両端をもつ直線」も本書で定義する線分の範囲に含まれる。
また、線分を前掲のように定義した上で、「折れ線」とは「複数の線分をその端点で連結して成る曲線」と定義する。
【００１４】
線分と折れ線を前掲のように定義すると、例えば、市販されているゼムクリップのように、一平面内に渦巻きを形成しながら丸みを持たせて６回折り曲げられて成る形状は、７個の線分を含み、その７個の線分は、連続する3個の線分巻き線でなる内側巻き線と、その外側に巻かれている連続する3個の線分巻き線でなる外側巻き線と、内側巻き線から外側巻き線（または、外側巻き線から内側巻き線）に移行する1個の線分巻き線を構成している。一般に、内側巻き線とその外側に巻かれた外側巻き線と、内側巻き線から外側巻き線への（または、外側巻き線から内側巻き線への）移行巻き線で成る巻き線構造を、本書では2重渦巻き線と記す。そして、この２重渦巻き線の形状を、本書では、2重渦巻き折れ線と記す。（たとえば、標準的なゼムクリップは、書類の差し込みを円滑にするために、丸みを持たせて９０度の角度で６回、2重渦巻き折れ線状に折り曲げられた弾性線材によって作られ、したがって、角（かど）が丸い長方形の輪郭をもっている。そして、その長辺に平行な巻き線区間は直線であるが、短辺に該当する曲線は、その接線の方向の平均が長辺に対して９０度の角度をなす方向を向く丸みを帯びた曲線、すなわち、長辺に対して９０度の角度をなす「線分」をなしている。）以下、「接線の方向の平均が所定の角度をなす」ことを「全体として所定の角度をなす」と記す。
【００１５】
前掲の段落「００１２」に記載されている本発明の目的を達成するために、本発明は、前記の線分および折れ線の定義と、渦巻き折れ線形状の概念に基づいて次のように包括的に記述される構成を用いる。
本発明の通し穴のない書類を多穴型ファイルへ綴じ込むための中間綴じ込み素子は、多穴型ファイルの穴径と穴間隔に該当する複数の穴を第１の長辺に沿って備えている長方形のシートと、該長方形のシートの、第２の長辺の縁部に、書類の綴じ込み端部を保持する保持手段を備えている。
保持手段は、弾性線材が一平面内に渦巻きを形成しながら丸みを持たせて少なくとも6回折り曲げられて成る渦巻き折れ線の形状を有するクリップ部と、シートの第２の長辺の縁部の第２の面に固定される固定部を備えていてクリップ部の一端に連結される固定手段とを有する渦巻き形クリップを含んでいる。
クリップ部の渦巻き折れ線形の巻き線は、該クリップ部をシートに搭載するために働く搭載用巻き線区間と、書類を綴じ込むために働く綴じ込み用巻き線区間と、搭載用巻き線区間から綴じ込み用巻き線区間へ移行する移行巻き線区間とを有する。
搭載用巻き線区間は、クリップ部の渦巻き折れ線の、連続する３つの線分に該当する３つの線分巻き線を含み、その第１の線分巻き線は、一端が固定手段に連結されていて、シートの前記第２の面に当接しながら前記第２の長辺の縁部に向かって延び、第２の線分巻き線は、第１の線分巻き線から連続してシートの第２の長辺の縁部を迂回してシートの第２の面側から第１の面側に延び、第３の線分巻き線は、第２の線分巻き線から連続してシートの第１の面に弾性的に当接して延びるように設置され、その結果、搭載用巻き線区間は、シートの第２の長辺の縁部を抱く態様で弾性的にシートに搭載される。
綴じ込み用巻き線区間は、移行巻き線区間を経由して搭載用巻き線区間に連結する第１の線分巻き線と、該第１の線分巻き線と共に渦巻き折れ線を形成しながら順次に連続して延びる第２の線分巻き線と第３の線分巻き線を含み、シートの第１の面に弾性的に当接するように設置され、シートの第１の面との間に挿入された書類をシートに対して弾性的に押圧して保持する。
【００１６】
上記の渦巻き形クリップは、書類を綴じ込み用巻き線区間とシートとの間に挟んで保持するので、綴じ込み用巻き線区間とシートとの間の接触面積が少なく書類の保持が不安定になる恐れがある。この問題を解決するために、本発明の１つの態様においては、上記の中間綴じ込み素子が、書類を綴じ込んだときにその書類を押さえるために当該書類に当接する綴じ込み用巻き線区間の部分に取り付けられた押さえ手段を有することができる。
【００１７】
本発明の中間綴じ込み素子の一態様として、渦巻き折れ線を構成する線分をクリップ部の内側から外側への渦巻き折れ線の巻き方向に見て、順次に第１、第２、第３、第４、第５、第６および第７の線分とし、それぞれの線分に該当する弾性線材の部分を、第１、第２、第３、第４、第５、第６および第７の線分巻き線とするとき、
弾性部材の第１，第２、第３の線分巻き線は、それぞれ、搭載用巻き線区間の第１の線分巻き線、第２の線分巻き線、第３の線分巻き線に割り当てられ、弾性部材の第５、第６および第７の線分巻き線は、それぞれ、綴じ込み用巻き線区間の第１、第２、第３の線分巻き線に割り当てられ、弾性部材の第４の線分巻き線は、移行巻き線区間の線分巻き線に割り当てられ、前記固定手段は弾性部材の第１の線分巻き線に連結されることができる。
【００１８】
本発明の中間綴じ込み素子の他の態様として、弾性部材の第５，第６、第７の線分巻き線は、それぞれ、搭載用巻き線区間の第３の線分巻き線、第２の線分巻き線、第１の線分巻き線に割り当てられ、弾性部材の第１、第２および第３の線分巻き線は、それぞれ、綴じ込み用巻き線区間の第３、第２、第１の線分巻き線に割り当てられ、弾性部材の第４の線分巻き線は、移行巻き線区間の線分巻き線に割り当てられ、前記固定手段は弾性部材の第７の線分巻き線に連結されることができる。
【００１９】
この態様においては、渦巻き形クリップの固定手段は、弾性部材の第７の線分巻き線から渦巻き折れ線を形成しながら延長される延長巻き線区間と、該延長巻き線区間の端部に、当該渦巻き折れ線の平面に平行に取り付けられた固定板を有し、固定板と延長巻き線区間がシートの第２の面に接するように配置され、固定板はシートの第２の面に固定されることができる。
このように、延長巻き線区間を設けることによって、巻き線をシートの第２の面上に２次元的に着座させることができるので、渦巻き形クリップのシート上における座りを安定させることができる。
【発明の効果】
【００２０】
このように、ゼムクリップと同様に平面状に巻かれた渦巻き型クリップを書類の保持手段としてシートに取り付けることによって、ゼムクリップと同様に、クリップ部分が薄くかつ平坦で重ねても厚くならず、リングファイルのリングを開閉させたり、スライドファイルのスライド型締め具を開閉させたりすることなく、書類の差し込みと取り外しが容易な中間綴じ込み素子を提供することができる。
【発明を実施するための最良の形態】
【００２１】
つぎに、図面を参照して、段落「００１５」に記載されている本発明の中間綴じ込み素子の包括的構成を実施するための最良の形態を記載する。
中間綴じ込み素子の最良の実施形態として渦巻き形クリップが2重渦巻き線状に構成されているときには、（１）クリップ部の内側巻き線が搭載用巻き線区間に割り当てられ、外側巻き線が綴じ込み用巻き線区間に割り当てられる場合と（２）外側巻き線が搭載用巻き線区間に割り当てられ、内側巻き線が綴じ込み用巻き線区間に割り当てられる場合とがある。
以下の記述において、実施例１、実施例２，実施例３は（１）の場合に該当し、実施例４，実施例５、実施例６は（２）の場合に該当する。
【００２２】
また、以下の記述において、段落「００１５」に記載されている搭載用巻き線区間の第１、第２、第3の線分巻き線のそれぞれには記号ＳＭ１、ＳＭ２、ＳＭ３を付け、綴じ込み用巻き線区間の第１、第２、第3の線分巻き線のそれぞれには記号ＳＦ１、ＳＦ２、ＳＦ３を付けて表示する。
【実施例１】
【００２３】
図１は、本実施例の中間綴じ込み素子の基本的構成の一例を示す平面図、図２は、本実施例の中間綴じ込み素子に使用される渦巻き型クリップの平面図、図３は図１の素子に書類を綴じ込んだ状態を示す斜視図である。
本実施例の中間綴じ込み素子は２穴型ファイル用のものである。中間綴じ込み素子は、長方形の紙、プラスチック、または金属のシート１と渦巻き形クリップ部３ａ、３ｂ（以下、３ａ、３ｂを総称して３と記す）から成っている。シート１は、２つの通し穴２ａ、２ｂ（以下、２ａ、２ｂを総称して２と記す）を備え、通し穴２ａ、２ｂは、シート１の一方の長辺に沿って、市販されている２穴リングファイルまたはスライドファイルの書類保持用リングまたはバンドに適合した穴径と穴間隔で配列している。穴のサイズ、数および間隔は、市販されている３穴以上の多穴リングファイルに適合するように、任意に定めることができる。
【００２４】
本実施例の渦巻き型クリップ３ａ、３ｂは、図２に参照番号３で示されているように、弾性線材が、全体として９０度の角度で一平面内に６回、渦巻きを形成しながら滑らかに折り曲げられて成る渦巻き折れ線の形状を有するクリップ部５ａ、５ｂ（以下、５ａ、５ｂを５と総称する）と、該クリップ部の渦巻き折れ線の最内の線分区間の巻き線に沿って当該線分巻き線の内側に、クリップ部５の平面に平行に取り付けられた平板状の固定板４ａ、４ｂ（以下、４ａ、４ｂを４と総称する）を有する。
【００２５】
固定板４は、クリップ部５をシート１に固定する固定手段で、クリップ部５と固定板４が両者とも金属製の場合には、クリップ部５にハンダ付け、または溶接され、いずれか一方がプラスチック製の場合にはクリップ部５に接着、または融着される。
【００２６】
クリップ部５の形状は、平面２重渦巻き折れ線形状であって、渦巻き線の最内の端点をａ、最外の端点をｈとし、折り曲げ位置を、巻き線の巻き方向に見て内側から外側に順次にｂ、ｃ、ｄ、ｅ、ｆ、ｇとする。また、上記渦巻き折れ線を構成する線分区間をクリップ部５の内側から外側に順次に第１、第２、第３、第４、第５、第６および第７の線分とし、それぞれの線分に該当する弾性線材の部分を、第１の線分巻き線Ｓ１、第２の線分巻き線Ｓ２、第３の線分巻き線Ｓ３、第４の線分巻き線Ｓ４、第５の線分巻き線Ｓ５、第６の線分巻き線Ｓ６および第７の線分巻き線Ｓ７とするとき、クリップ部５は、内側から外側に順次にＳ１＝ａｂ、Ｓ２＝ｂｃ、Ｓ３＝ｃｄ、Ｓ４＝ｄｅ、Ｓ５＝ｅｆ、Ｓ６＝ｆｇおよびＳ７＝ｇｈから成っている。内側巻き線区間はａｂｃｄ、外側巻き線はｅｆｇｈ、移行巻き線区間はｄｅである。
線分巻き線Ｓ５、Ｓ６、Ｓ７はそれぞれ線分巻き線Ｓ１、Ｓ２，Ｓ３の外側に位置している。以下に記述で線分巻き線対Ｓ１とＳ５、Ｓ２とＳ６、Ｓ３とＳ７を対応線分巻き線対と記す。
書類を滑らかに出し入れするために、渦巻き折れ線は、滑らかに折り曲げられるので、短い線分巻き線、たとえば、図２の線分巻き線Ｓ２、Ｓ４、Ｓ６は湾曲した形状になるのは前掲の通りである。
【００２７】
本実施例では、クリップ部５をシート１に取り付けるときには、連続する３つの線分巻き線Ｓ１、Ｓ２、Ｓ３で構成される内側巻き線ａｂｃｄが搭載用巻き線区間に割り当てられ、線分巻き線Ｓ１、Ｓ２、Ｓ３がそれぞれ搭載用の第１の線分巻き線ＳＭ１、第２の線分巻き線ＳＭ２、第3の線分巻き線ＳＭ３として働く。したがって、図１に図示されているように、クリップ部５の線分巻き線Ｓ１がシート１の第２の面（下面）側に当接しながらシート１の第２の長辺の縁部に向かって延び、線分巻き線Ｓ２がシート1の第２の面側から第１の面（上面）側に導かれ、線分巻き線Ｓ３がシート１の第１の面側に接するように、搭載用巻き線区間でシート１を挟み、固定板４とシート１の第２の面とを例えば接着剤で結合して、クリップ部５をシート１に固定する。
また、連続する３つの線分巻き線Ｓ５、Ｓ６、Ｓ７で構成される外側巻き線ｅｆｇｈは綴じ込み用巻き線区間に割り当てられ、線分巻き線Ｓ５、Ｓ６、Ｓ７がそれぞれ綴じ込み用の第１の線分巻き線ＳＦ１、第２の線分巻き線ＳＦ２、第3の線分巻き線ＳＦ３としてシートの第１の面に弾性的に当接するように設置され、シートの第１の面との間に挿入された書類をシートに向かって弾性的に押圧して保持するように働く。図１の点線で描かれている部分は、渦巻き形クリップ３の、シート１の第２の面に接する部分である。
【００２８】
書類６を綴じ込むときには、図３に示されているように、外側巻き線は、シート１の第１の面との間に書類を挟み込む。内側巻き線の線分巻き線Ｓ１は、内側線分巻き線Ｓ２を介して内側線分巻き線Ｓ３との間に働く弾性力によって内側線分巻き線Ｓ３と共にシート１を挟み込む働きをする。
【００２９】
このように、クリップ部５は、内巻き線と外巻き線との間に挿入された書類を、その両側から弾性的に挟み込むという意味ではゼムクリップと同様である。しかし、クリップ部５とゼムクリップとは次の点で異なっている。
【００３０】
ゼムクリップにおいては、書類を、内側巻き線の線分巻き線Ｓ１と外側巻き線の線分巻き線Ｓ５との間、および内側巻き線の線分巻き線Ｓ３と、外側巻き線の線分巻き線Ｓ７との間、すなわち、対応線分巻き線対の間で上下から挟み込んで保持する。そのために、内側巻き線の線分巻き線Ｓ１と外側巻き線の線分巻き線Ｓ５との間、およびに内側巻き線の線分巻き線Ｓ３と外側巻き線の線分巻き線Ｓ７との間に間隔を置かないで密着させて形成されている。
【００３１】
それとは対照的に、本発明のクリップ部５は、前記したように、書類は外側巻き線の線分巻き線Ｓ５とシート１の第１の面との間、および外側巻き線の線分巻き線Ｓ７とシート１の第１の面との間に挟み込まれ、内側巻き線の線分巻き線Ｓ１は、線分巻き線Ｓ３と共に、シート１を弾性的に挟み込む働きをするだけである。このように、対応線分巻き線対が直接、上下から書類を挟み込むのではないので、対応線分巻き線対を密着させて形成する必要はなく、むしろ、対応する線分巻き線の間隔を置いて形成した方が、シート1に対するクリップ部５の座りが安定するという利点がある。
【実施例２】
【００３２】
つぎに実施例２を説明する。
実施例１においては、２つの渦巻き形クリップを用いて書類を２個所で留めているので、書類を安定して綴じることができるけれど、書類は１個の渦巻き形クリップで綴じ込むこともできる。この場合に、実施例１に用いられているような細長い渦巻き形クリップ３を1個だけ使用すると、書類がシート１の表面内でクリップ部５の位置のまわりに（クリップ５の位置におけるシート１表面の法線を回転軸として）回転し易くなって綴じ込みが不安定になる。
【００３３】
したがって1個の渦巻き形クリップを使用する場合には、渦巻き形クリップの形状を横長にして、シート１との間に書類を挟み込む外側線分巻き線Ｓ５と他の外側線分巻き線Ｓ７との間の間隔を広くして、離れた２つの位置で書類を挟むことが望ましい。
【００３４】
実施例２は、1個の横長の渦巻き形クリップが使用された中間綴じ込み素子の一例である。図４は、本実施例の中間綴じ込み素子の平面図で、シート１に、図２の渦巻き形クリップを横長にした構造をもつ１個の渦巻き形クリップ２３が取り付けられている。以下の記述においても、渦巻き折れ線の各線分に該当する巻き線区間（線分巻き線）を、第１の実施例と同様に、渦巻き線の巻き方向に見て内側から外側に、順次にＳ１、Ｓ２、Ｓ３、Ｓ４、Ｓ５、Ｓ６、Ｓ７とする。
固定板２４が最内の線分巻き線Ｓ１の内側先端に、クリップ部２５と同一の平面内に取り付けられていることは、実施例１と同様である。
【００３５】
渦巻き形クリップ２３の線分巻き線Ｓ１と固定板２４を、シート１の第２面側に当接させ、線分巻き線Ｓ３、Ｓ４、Ｓ５、Ｓ７をシート１の第１面に弾性的に当接させて線分巻き線Ｓ１、Ｓ２、Ｓ３がシート１を抱き挟む態様で、渦巻き形クリップ２３がシート１に対して相対配置される。図４の点線部分は、シートの第２面側にある線分巻き線Ｓ１と固定板２４を示している。
【００３６】
書類を綴じ込むときには、外側巻き線の線分巻き線Ｓ６をシート１に対して軽く持ち上げて外側巻き線の線分巻き線Ｓ５およびＳ７とシート1との間に書類を挿入する。この感覚はゼムクリップに書類を挟む場合と同様である。図５は、本実施例の中間綴じ込み素子に書類６が綴じ込まれた状態を示す斜視図である。図に示されているように、書類６は、外側巻き線の線分巻き線Ｓ５およびＳ７とシート１との間に挟み込まれる。
【実施例３】
【００３７】
次に、図６を参照して実施例３を説明する。図６は実施例３の中間綴じ込み素子に書類を綴じ込んだ状態を示す斜視図である。
本実施例の渦巻き形クリップ２３の基本的構造は実施例２と同様で、書類６は、外側巻き線の線分巻き線Ｓ５、Ｓ７とシート1との間に挟まれて綴じ込まれている。本実施例が実施例２と異なる点は、外側巻き線の線分巻き線Ｓ５とＳ７とのそれぞれに、クリップ部２５の渦巻き巻き線の平面に平行に、押し板３１ａ、３１ｂを取り付け、渦巻き形クリップ２３とシート１とが広い面積を介して書類を弾性的に綴じ込んでいる点である。本実施例においては、クリップ部２５と押し板３１ａ、３１ｂは金属で、渦巻き形クリップの線分巻き線Ｓ５とＳ７に溶接またはハンダ付けされる。押し板は、必ずしも線分巻き線Ｓ５とＳ７の両方に取り付ける必要はなく、そのいずれか一方でもよい。また、押し板３１ａ、３１ｂは必ずしも金属である必要はなく、たとえば、プラスチックであってもよい。プラスチックである場合には、クリップ部２５と押し板３１ａ、３１ｂは適当な接着剤で接着されることができる。
【実施例４】
【００３８】
つぎに、実施例４を説明する。
実施例１ないし３の中間綴じ込み素子は、クリップ部の内側巻き線が搭載用巻き線区間に割り当てられ、外側巻き線が綴じ込み用巻き線区間に割り当てられる場合であるが、本実施例の中間綴じ込み素子は、外側巻き線が搭載用巻き線区間に割り当てられ、内側巻き線が綴じ込み用巻き線区間に割り当てられる場合である。
【００３９】
図７は、本実施例の渦巻き形クリップの構成を示す平面図、図８は、図７の渦巻き形クリップを用いた２穴型ファイル用中間綴じ込み素子の構成を示す平面図、図９は、図８の中間綴じ込み素子に書類を綴じ込んだ状態を示す斜視図である。線分巻き線Ｓ１ないしＳ７の定義は前掲の実施例と同様である。
【００４０】
本実施例の渦巻き形クリップ１３の２重渦巻き折れ線の形状が、実施例１のそれと異なる点は、クリップ部１５の線分巻き線Ｓ７から更に渦巻き折れ線を形成しながら延長された延長部ｈｉｊｋが設けられている点である。
延長部中、線分巻き線ｉｊは、渦巻き折れ線の平面内に、巻き線部分Ｓ７に対して全体として９０度の角度をなす方向に、線分巻き線Ｓ４の外側に渦巻き状に延び、線分巻き線ｊｋは線分巻き線Ｓ５の外側に渦巻き状に延びて、渦巻き形クリップ１３の巻き線は、延長部と共に、全体として平面渦巻き折れ線を形成している。固定板１４は、実施例１の固定板４と同様に、金属またはプラスチック製で最外端の巻き線部分ｊｋに取り付けられている。このような延長部を設けた理由は、延長部をシート１の第２の面と２次元的に接触させて、シート１の第２の面上における、クリップ部１５の座りを安定にするためである。
【００４１】
各々の線分巻き線は、次のように機能する。延長部ｈｉｊｋおよび固定板１４が前掲の固定手段として働く。連続した３つの線分巻き線Ｓ７、Ｓ６、Ｓ５は、それぞれ搭載用巻き線区間の第１の線分巻き線ＳＭ１、第２の線分巻き線ＳＭ２、第3の線分巻き線ＳＭ３として働き、その弾性によって渦巻き形クリップ１３はシート１上に弾性的に保持される。連続した３つの線分巻き線Ｓ３、Ｓ２、Ｓ１は、それぞれ綴じ込み用巻き線区間の第１の線分巻き線ＳＦ１、第２の線分巻き線ＳＦ２、第3の線分巻き線ＳＦ３として働き、書類をシート1との間に挟み込む。線分巻き線Ｓ４は、移行線分巻き線ＳＴとして働く
図８は、２つの渦巻き形クリップ１３ａ、１３ｂがシート１に取り付けられて成る中間綴じ込み素子の上面図を示している。本実施例では、線分巻き線Ｓ７、延長部ｈｉｊｋおよび固定板１４がシート１の第２面側に当接し、線分巻き線Ｓ１、Ｓ２、Ｓ３、Ｓ４、Ｓ５がシート１の第1面側に弾性的に接する態様で、シート１に対してクリップ部１５が設置されている。
図中、渦巻き形クリップ１３ａ、１３ｂの点線で図示されている部分は、シート１の第２面側に接している部分で、実線で図示されている部分のうち、Ｓ１、Ｓ２、Ｓ３、Ｓ４、Ｓ５はシート１の第1面側に配置される。線分巻き線Ｓ６は、渦巻き形クリップの、第２面側から第1面側に移行する移行部分である。
【００４２】
書類６を綴じ込むときには、内側巻き線Ｓ２を軽く持ち上げて、外側巻き線Ｓ５、Ｓ６およびシート１の第１の面と、内側巻き線Ｓ１、Ｓ２、Ｓ３との間に隙間を作り、その隙間に書類を挿入する。この操作は、ゼムクリップに書類を挟むときと同様の要領で簡単に行うことができる。その結果、図９に図示されているように、書類６は、内側巻き線とシート１の間に挟み込まれる。
なお、本実施例においては、固定手段として延長部ｈｉｊｋと固定板１４を設け、該延長部を介して固定板をクリップ部の一端に取り付けているが、延長部を設けずに固定板を直接に線分巻き線Ｓ７の端部の外側に取り付けることもできる。しかし、この場合には、固定板をシートに固着するまでの間、シート上におけるクリップ部の座りが不安定になって、固定板をシートに固着する作業がやりにくくなる。
【実施例５】
【００４３】
つぎに、本発明の中間綴じ込み素子の第5の実施例を説明する。図１０は本実施例の中間綴じ込み素子の平面図、図１１は図１０の中間綴じ込み素子に書類を綴じ込んだ状態を示す斜視図である。
【００４４】
本実施例に使用される渦巻き形クリップ４３は、基本的に実施例４の渦巻き形クリップ１３と同一の構造の1個の渦巻き形クリップ４３を横長にして形成されている。図中、クリップ部４５の点線部分および点線で描かれた固定板４４は、これらの部材がシート１の第２の面側に当接していることを示す。
【００４５】
図１１に示されているように、書類６は、線分巻き線Ｓ１とシート１の第１の面との間、および線分巻き線Ｓ２、Ｓ３とシート１の第１の面との間に挟み込まれる。本実施例のクリップ部４５は、書類６を挟み込む２つの位置（線分巻き線対Ｓ１の位置と、線分巻き線Ｓ３の位置）の間隔が広いので、広い幅で書類を保持することができる。
【実施例６】
【００４６】
つぎに、図１２を参照して実施例６を説明する。図１２は本実施例の中間綴じ込み素子に書類を綴じ込んだ状態を示す斜視図である。
【００４７】
本実施例は、図１０に示された渦巻き形クリップ４３のクリップ部４５に押し板５１ａ、５１ｂを取り付けた例である。図１１に示されているように、実施例５においては、書類６は、内側巻き線によって弾性的にシート１に押圧される。本実施例においては、書類６を弾性的に押圧する面積を広くするために、線分巻き線Ｓ１とＳ３の内側に、それぞれ押し板５１ａ、５１ｂが設けられている。押し板をこれらの線分巻き線に取り付ける方法は、実施例４と同様である。また、実施例４と同様に押し板は、必ずしも線分巻き線ａｂとｃｄの両方に取り付ける必要はなく、そのいずれか一方でもよい。
【００４８】
前掲の実施例には、９０度の角度で6回折り曲げられた2重渦巻き線構造のクリップ部が使用されている。しかし、折り曲げは、必ずしも９０度の角度で6回行われると限定する必要はない。また、クリップ部は、内側巻き線とその外側に巻かれた外側巻き線で成る2重渦巻き線構造をもつと限定する必要はない。必要なことは、クリップ部が平面渦巻き折れ線形状で構成され、搭載用巻き線区間と綴じ込み用巻き線区間を含んでいるということである。
【００４９】
また、前掲の実施例には、搭載用巻き線区間と綴じ込み用巻き線区間が、それぞれ３つの連続する線分巻き線で「成る」例が示されている。しかし、これらの巻き線区間は、それぞれ、段落「００１５」に記載されている態様で設置されている３つの連続する線分巻き線を「含んでおれば」十分である。
したがって、搭載用巻き線区間と綴じ込み用巻き線区間とを任意の平面渦巻き折れ線状に作成し、それらを任意の位置に相対配置するように移行巻き線区間で連結し、搭載用巻き線区間でクリップ部をシートに固定し、綴じ込み用巻き線区間によって書類を当該綴じ込み用巻き線区間とシートとの間に弾性的に綴じ込むことも可能である。
【００５０】
このように、本発明は、前掲の実施例以外にも種々の変形例を許すけれど、前掲の実施例に使用される渦巻き形クリップは、本発明の目的を達成するために最も簡単かつ有効な構造であり、その上、標準形ゼムクリップと同一の技術を用いて製造することができるので、最も望ましい実施形態である。
【産業上の利用可能性】
【００５１】
文房具、特に、通し穴のない書類を多穴型ファイルへ綴じ込むための中間綴じ込み素子として利用することができる。
【図面の簡単な説明】
【００５２】
【図１】実施例１の中間綴じ込み素子の基本的構成の一例を示す平面図である。
【図２】実施例１の中間綴じ込み素子に使用される渦巻き型クリップの平面図である。
【図３】図１の素子に書類を綴じ込んだ状態を示す斜視図である。
【図４】実施例２の中間綴じ込み素子の平面図である。
【図５】実施例２の中間綴じ込み素子に書類が綴じ込まれた状態を示す斜視図である。
【図６】実施例３の中間綴じ込み素子に書類を綴じ込んだ状態を示す斜視図である。
【図７】実施例４の渦巻き形クリップの構成を示す平面図である。
【図８】図７の渦巻き形クリップを用いた２穴型ファイル用中間綴じ込み素子の構成を示す平面図である。
【図９】図８の中間綴じ込み素子に書類を綴じ込んだ状態を示す斜視図である。
【図１０】実施例５の中間綴じ込み素子の平面図である。
【図１１】図１０の中間綴じ込み素子に書類を綴じ込んだ状態を示す斜視図である。
【図１２】実施例６の中間綴じ込み素子に書類を綴じ込んだ状態を示す斜視図である。
【図１３】中間綴じ込み素子の一従来例の、通し穴をもつ粘着面付きシートの斜視図である。
【符号の説明】
【００５３】
１  シート
２，２ａ，２ｂ  通し穴
３，３ａ，３ｂ  渦巻き形クリップ
４，４ａ、４ｂ  固定板
５，５ａ、５ｂ  クリップ部
６  書類
１３，１３ａ，１３ｂ  渦巻き形クリップ
１４，１４ａ、１４ｂ  固定板
１５，１５ａ、１５ｂ  クリップ部
２３，２３ａ，２３ｂ  渦巻き形クリップ
２４，２４ａ、２４ｂ  固定板
２５，２５ａ、２５ｂ  クリップ部
３１ａ、３１ｂ  押し板
４３  渦巻き形クリップ
４４  固定板
４５  クリップ部
５１ａ、５１ｂ  押し板
【図１】
2007152933.tif 000003
【図２】
2007152933.tif 000004
【図３】
2007152933.tif 000005
【図４】
2007152933.tif 000006
【図５】
2007152933.tif 000007
【図６】
2007152933.tif 000008
【図７】
2007152933.tif 000009
【図８】
2007152933.tif 000010
【図９】
2007152933.tif 000011
【図１０】
2007152933.tif 000012
【図１１】
2007152933.tif 000013
【図１２】
2007152933.tif 000014
【図１３】
2007152933.tif 000015
【手続補正書】
【提出日】平成19年3月23日(2007.3.23)
【手続補正１】
【補正対象書類名】明細書
【補正対象項目名】０００９
【補正方法】変更
【補正の内容】
【０００９】
図１３は、特許文献１に記載されている通し穴をもつ粘着面付きシートの斜視図である。長方形のシート６４の長手方向縁部には、ファイル用の通し穴６３ａ、６３ｂが開けられている。この場合には、通し穴は２個開けられている。シート６４の、他方の長手方向縁部には、粘着剤が塗布された所定幅の粘着面６２が形成されている。シート６４は、その通し穴６３ａ、６３ｂにリングまたはベルトを通してファイルに綴じ込まれ、シート６４の粘着面６２に書類６１を粘着することによって、書類６１はシート６４を介して（シートを中間綴じ込み素子として）綴じ込まれる。書類が不要になれば、書類を粘着面６２から剥離して廃棄することができる。したがって、粘着剤を適当に選べば、この粘着面付きシートは、書類を剥離した後も再使用することができる。
【特許文献１】特開平１０−６６８１号公報